(57)【要約】  移動電話１２は、３Ｇネットワーク１０とＢｌｕｅｔｏｏｔｈネットワーク１１との間で無線通信ゲートウェイとして動作する。３Ｇネットワーク１０でのテレビ会議電話は、ＢｌｕｅｔｏｏｔｈネットワークでＢｌｕｅｔｏｏｔｈ可能ラップトップパーソナルコンピュータ（ＰＣ）１３に及びＢｌｕｅｔｏｏｔｈ可能ラップトップパーソナルコンピュータ１３から中継される。従って、Ｂｌｕｅｔｏｏｔｈ可能ラップトップパーソナルコンピュータ１３は無線通信端末として動作する。３Ｇネットワーク１０でテレビ会議コンテンツと共に移動端末１２により受信されたチャネル品質インジケータ（ＣＱＩ）は、疑似ＣＱＩ（Ｐ−ＣＱＩ）として、Ｂｌｕｅｔｏｏｔｈネットワーク１３で移動端末１２によりラップトップＰＣ１３に送信される。この例では、Ｐ−ＣＱＩはＢｌｕｅｔｏｏｔｈネットワーク１１のＳＣＯ（Ｓｙｎｃｈｒｏｎｏｕｓ  Ｃｏｎｎｅｃｔｉｏｎ  Ｏｒｉｅｎｔｅｄ）又はｅＳＣＯ（ｅｘｔｅｎｄｅｄ  ＳＣＯ）データパケットのヘッダ４０のＦＬＯＷ制御フィールドで送信される。ラップトップＰＣ１３で動作するテレビ会議ドライバは、Ｐ−ＣＱＩの値に従ってテレビ会議電話の特性を変更することができ、これにより、３Ｇネットワークでの電話品質条件に応答する。
2008516512.tif 000002
【特許請求の範囲】
【請求項１】
ソース通信ネットワークでソース無線信号を受信するソース受信機と；
ピア通信ネットワークでピア無線信号を送信するピア送信機と；
前記ピア無線信号での提示のために、前記ソース受信機から前記ピア送信機に前記ソース無線信号により提示されるコンテンツを渡すインタフェースと；
を有する無線通信ゲートウェイであって：
前記ソース無線信号は、前記ソース通信ネットワークでのサービス品質を指定するソースサービス品質インジケータを有し、前記ピア送信機は、前記ピア無線信号で前記コンテンツと共に前記インジケータの提示を送信する無線通信ゲートウェイ。
【請求項２】
前記ピア送信機は、データパケットで前記ソースサービス品質インジケータの提示と前記コンテンツとを一緒に送信する請求項１に記載の無線通信ゲートウェイ。
【請求項３】
前記ピア送信機は、前記データパケットのヘッダで前記ソースサービス品質インジケータの提示を送信する請求項２に記載の無線通信ゲートウェイ。
【請求項４】
前記ソースサービス品質インジケータの提示は単一ビットである請求項１ないし３のうちいずれか１項に記載の無線通信ゲートウェイ。
【請求項５】
前記ピア送信機は、前記ピア通信ネットワークのフロー制御で一般的に使用される前記ピア無線信号のフィールドで、前記ソースサービス品質インジケータの提示を送信する請求項１ないし４のうちいずれか１項に記載の無線通信ゲートウェイ。
【請求項６】
前記ピア通信ネットワークは無線ローカルエリアネットワークである請求項１ないし５のうちいずれか１項に記載の無線通信ゲートウェイ。
【請求項７】
前記ピア通信ネットワークはＢｌｕｅｔｏｏｔｈネットワークである請求項１ないし６のうちいずれか１項に記載の無線通信ゲートウェイ。
【請求項８】
前記ソース通信ネットワークは移動通信ネットワークである請求項１ないし７のうちいずれか１項に記載の無線通信ゲートウェイ。
【請求項９】
前記ソース通信ネットワークは３Ｇネットワークである請求項１ないし８のうちいずれか１項に記載の無線通信ゲートウェイ。
【請求項１０】
前記コンテンツは視聴覚データである請求項１ないし９のうちいずれか１項に記載の無線通信ゲートウェイ。
【請求項１１】
前記ピア通信ネットワークで帰路ピア無線信号を受信するピア受信機と；
前記ソース通信ネットワークで帰路ソース無線信号を送信するソース送信機と；
を有し、
前記インタフェースは、前記帰路ソース無線信号での提示のために、前記ピア受信機から前記ソース送信機に前記帰路ピア無線信号により提示されるコンテンツを渡し、前記ピア無線信号は、前記ピア通信ネットワークでサービス品質を指定するピアサービス品質インジケータを有する請求項１ないし１０のうちいずれか１項に記載の無線通信ゲートウェイ。
【請求項１２】
前記ソース送信機は、前記ソース無線信号で前記ピアサービス品質インジケータの提示を送信する請求項１１に記載の無線通信ゲートウェイ。
【請求項１３】
ピア通信ネットワークで無線通信ゲートウェイからピア無線信号を受信し、前記ピア無線信号は、ソース通信ネットワークで前記無線通信ゲートウェイに送信されたソース無線信号からのコンテンツを提示する受信機を有する無線通信端末であって：
前記ソース無線信号は、前記ソース通信ネットワークでのサービス品質を指定するソースサービス品質インジケータを有し、前記受信機は、前記ピア無線信号で前記無線通信ゲートウェイから前記インジケータの提示を受信する無線通信端末。
【請求項１４】
受信した前記ソース信号品質インジケータの提示に基づいて前記ピア通信ネットワークで通信を適応するコントローラを有する請求項１３に記載の無線通信端末。
【請求項１５】
プロトコルスタックを有し、前記受信機は、前記プロトコルスタックの第１レイヤで前記ソースサービス品質インジケータを受信し、前記第１レイヤより高い前記プロトコルスタックの第２レイヤで前記インジケータを解釈する請求項１３又は１４に記載の無線通信端末。
【請求項１６】
前記第２レイヤはアプリケーションレイヤである請求項１５に記載の無線通信端末。
【請求項１７】
前記ピア通信ネットワークで帰路ピア無線信号を前記無線通信ゲートウェイに送信する送信機を有し、前記帰路ピア無線信号は、前記無線通信ゲートウェイにより前記ソース通信ネットワークで送信されるコンテンツを提示し、
前記帰路ピア無線信号は、前記ピア通信ネットワークでサービス品質を指定するピアサービス品質インジケータを有する請求項１３ないし１６のうちいずれか１項に記載の無線通信端末。
【請求項１８】
前記送信機は、データパケットで前記ピアサービス品質インジケータと前記コンテンツとを一緒に送信する請求項１７に記載の無線通信端末。
【請求項１９】
前記送信機は、前記データパケットのヘッダで前記ピアサービス品質インジケータを送信する請求項１８に記載の無線通信端末。
【請求項２０】
前記送信機は、前記ピア通信ネットワークでフロー制御に一般的に使用される前記帰路ピア無線信号のフィールドで前記ピアサービス品質インジケータを送信する請求項１７ないし１９のうちいずれか１項に記載の無線通信端末。
【請求項２１】
請求項１ないし１１のうちいずれか１項に記載の無線通信ゲートウェイと、請求項１３ないし２０のうちいずれか１項に記載の無線通信端末とを有する無線通信システム。
【請求項２２】
無線通信ゲートウェイを動作する方法であり、前記ゲートウェイは、ソース通信ネットワークでソース無線信号を受信するソース受信機と、ピア通信ネットワークでピア無線信号を送信するピア送信機とを有する方法であって：
前記ピア無線信号で提示のために、前記ソース受信機から前記ピア送信機に前記ソース無線信号により提示されるコンテンツを渡すことを有し、
前記ソース無線信号は、前記ソース通信ネットワークでのサービス品質を指定するソースサービス品質インジケータを有し、前記方法は、前記ピア送信機が前記ピア無線信号で前記インジケータの提示を送信することを有する方法。
【請求項２３】
前記ピア送信機が、データパケットで前記ソースサービス品質インジケータの提示と前記コンテンツとを一緒に送信することを有する請求項２２に記載の方法。
【請求項２４】
前記ピア送信機が、前記データパケットのヘッダで前記ソースサービス品質インジケータの提示を送信することを有する請求項２３に記載の方法。
【請求項２５】
前記ピア送信機が、前記ピア通信ネットワークのフロー制御で一般的に使用される前記ピア無線信号のフィールドで、前記ソースサービス品質インジケータの提示を送信することを有する請求項２２ないし２４のうちいずれか１項に記載の方法。
【請求項２６】
前記ゲートウェイは、前記ピア通信ネットワークで帰路ピア無線信号を受信するピア受信機と、前記ソース通信ネットワークで帰路ソース無線信号を送信するソース送信機とを有し、
前記方法は、前記帰路ソース無線信号での提示のために、前記ピア受信機から前記ソース送信機に前記帰路ピア無線信号により提示されるコンテンツを渡すことを有し、
前記ピア無線信号は、前記ピア通信ネットワークでサービス品質を指定するピアサービス品質インジケータを有する請求項２２ないし２５のうちいずれか１項に記載の方法。
【請求項２７】
前記ソース送信機が、前記ソース無線信号で前記ピアサービス品質インジケータの提示を送信することを有する請求項２６に記載の方法。
【請求項２８】
無線通信端末を動作する方法であって、：
ピア通信ネットワークで無線通信ゲートウェイからピア無線信号を受信し、前記ピア無線信号は、ソース通信ネットワークで前記無線通信ゲートウェイに送信されたソース無線信号からのコンテンツを提示し、
前記ソース無線信号は、前記ソース通信ネットワークでのサービス品質を指定するソースサービス品質インジケータを有し、前記方法は、前記ピア無線信号で前記無線通信ゲートウェイから前記インジケータの提示を受信することを有する方法。
【請求項２９】
受信した前記ソース信号品質インジケータの提示に基づいて前記ピア通信ネットワークで通信を適応することを有する請求項２８に記載の方法。
【請求項３０】
前記端末は、プロトコルスタックを有し、前記方法は、前記プロトコルスタックの第１レイヤで前記ソースサービス品質インジケータを受信し、前記第１レイヤより高い前記プロトコルスタックの第２レイヤで前記インジケータを解釈することを有する請求項２８又は２９に記載の方法。
【請求項３１】
前記第２レイヤはアプリケーションレイヤである請求項３０に記載の方法。
【請求項３２】
前記ピア通信ネットワークで帰路ピア無線信号を前記無線通信ゲートウェイに送信することを有し、前記帰路ピア無線信号は、前記無線通信ゲートウェイにより前記ソース通信ネットワークで送信されるコンテンツを提示し、
前記帰路ピア無線信号は、前記ピア通信ネットワークでサービス品質を指定するピアサービス品質インジケータを有する請求項２８ないし３１のうちいずれか１項に記載の方法。
【請求項３３】
データパケットで前記ピアサービス品質インジケータと前記コンテンツとを一緒に送信することを有する請求項３２に記載の方法。
【請求項３４】
前記データパケットのヘッダで前記ピアサービス品質インジケータを送信することを有する請求項３１に記載の方法。
【請求項３５】
前記ピア通信ネットワークでフロー制御に一般的に使用される前記帰路ピア無線信号のフィールドで前記ピアサービス品質インジケータを送信することを有する請求項３２ないし３４のうちいずれか１項に記載の方法。
【請求項３６】
請求項２２ないし２７のうちいずれか１項に記載の無線通信ゲートウェイを動作する方法と、請求項２８ないし３５のうちいずれか１項に記載の無線通信端末を動作する方法とを有する無線通信方法。
【請求項３７】
コンピュータ処理手段により処理されると、請求項２２ないし３６のうちいずれか１項に記載の方法を実行するように適合されたコンピュータプログラムコード。
【発明の詳細な説明】
【技術分野】
【０００１】
本発明は、無線通信ゲートウェイと、無線通信端末と、関連する動作方法とに関する。排他的ではなく、特に、本発明の用途は、移動通信ネットワークとＢｌｕｅｔｏｏｔｈネットワークとの間のゲートウェイにある。
【背景技術】
【０００２】
無線通信が１つより多くの無線通信ネットワーク（例えば“ソースネットワーク”及び“ピアネットワーク”）を通じてコンテンツ（例えば、テキストメッセージ、画像メッセージ、ウェブページ、オーディオデータ、視聴覚データ等）を送信することに関与することが、ますます一般的になってきている。換言すると、コンテンツは２つ以上の異種の通信ネットワークを通じて１つの端末から他の端末にしばしば送信される。例えば、Ｂｌｕｅｔｏｏｔｈネットワークが移動電話に周辺装置を連結するために使用されるときに、このことが生じ得る。通常では移動電話は主に移動通信ネットワークで通信することを対象としているが、Ｂｌｕｅｔｏｏｔｈを使用して周辺装置（例えばヘッドセット、カメラ／ディスプレイの組み合わせ、携帯情報端末（ＰＤＡ）、ラップトップ型パーソナルコンピュータ（ＰＣ）等）に及び周辺装置からこれらの通信のコンテンツをしばしば中継し得る。従って、移動電話は移動通信ネットワークとＢｌｕｅｔｏｏｔｈネットワークとの間でゲートウェイを提供する。
【０００３】
ほとんどの無線通信ネットワークは、信号品質を管理するシステムを有する傾向がある。例えば、第３世代無線形式（３Ｇ：Ｔｈｉｒｄ  Ｇｅｎｅｒａｔｉｏｎ  Ｗｉｒｅｌｅｓｓ  Ｆｏｒｍａｔ）ネットワークでは、移動電話及びネットワークインフラストラクチャがネットワークで相互から信号を受信すると、信号品質は移動電話及びネットワークインフラストラクチャ（例えば基地局）により監視される。移動電話及びネットワークインフラストラクチャは、ネットワークで相互に送信する信号にチャネル品質インジケータ（ＣＱＩ：Ｃｈａｎｎｅｌ  Ｑｕａｌｉｔｙ  Ｉｎｄｉｃａｔｏｒ）を追加し、監視される信号品質を反映する。受信する信号のＣＱＩに応じて、ネットワークで信号を送信する方法を変更することができる。例えば、信号品質を改善するために、又は信号劣化に対処するために、チャネルに割り当てられた帯域、信号がチャネルで送信される電力、信号に適用される前方誤り訂正（ＦＥＣ：Ｆｏｒｗａｒｄ  Ｅｒｒｏｒ  Ｃｏｒｒｅｃｔｉｏｎ）の量等が変更され得る。同様に、Ｂｌｕｅｔｏｏｔｈネットワークでは、Ｂｌｕｅｔｏｏｔｈ可能装置により受信されたデータパケットは誤り訂正され、誤り検査の成功が閾値レートより下である場合には、再送信されるデータパケットについての要求が送信され得る。
【発明の開示】
【発明が解決しようとする課題】
【０００４】
しかし、ネットワーク間で信号品質を渡す有用な機構があまり存在しない。特に、信号品質がソースネットワークでの通信中に劣化する場合、コンテンツがソースネットワークに及びソースネットワークから中継されるピアネットワークは、ソースネットワークでの信号品質劣化についてしばしば認識することができない。このことは多数の問題を生じ得る。例えば、わずかのパケットしかソースネットワークでうまく受信できないときに、ソースネットワークからピアネットワークに伝送されるデータパケットの数が減少し得る。このことは、わずかのデータパケットがピアネットワークで中継される必要があることを意味する。従って、ピアネットワークで必要な伝送容量が低下するが、ピアネットワークはソースネットワークでの信号品質劣化を認識しないと、中継される信号に固定量の伝送容量を割り当て続けることがあり、その結果、ピアネットワークでの全体の伝送容量が浪費される。同様に、ピアネットワークは、固定のレートでソースネットワークにデータパケットを中継し続けることがあるが、ソースネットワークで信号品質が劣化していると、ソースネットワークは、ピアネットワークから受信したレートで、ソースネットワークで全てのデータパケットをうまく送信することができないことがある。このことは、ネットワーク間でのネットワークゲートウェイで未送信データパケットの蓄積をもたらし、メモリの過負荷を生じる。或いは、データパケットがピアネットワークから受信されるレートについていくために、データパケットがソースネットワークで送信された信号からランダムに落とされる。
【０００５】
本発明はこれらの問題を克服することを目的とする。
【課題を解決するための手段】
【０００６】
本発明の第１の態様によれば、無線通信ゲートウェイが提供され、
ソース通信ネットワークでソース無線信号を受信するソース受信機と、
ピア通信ネットワークでピア無線信号を送信するピア送信機と、
ピア無線信号での提示のために、ソース受信機からピア送信機にソース無線信号により提示されるコンテンツを渡すインタフェースと
を有し、ソース無線信号は、ソース通信ネットワークでのサービス品質を指定するソースサービス品質インジケータを有し、ピア送信機は、ピア無線信号でインジケータの提示を送信する。
【０００７】
また、本発明の第２の態様によれば、無線通信ゲートウェイを動作する方法が提供され、ゲートウェイは、ソース通信ネットワークでソース無線信号を受信するソース受信機と、ピア通信ネットワークでピア無線信号を送信するピア送信機とを有し、この方法は、
ピア無線信号で提示のために、ソース受信機からピア送信機にソース無線信号により提示されるコンテンツを渡すことを有し、
ソース無線信号は、ソース通信ネットワークでのサービス品質を指定するソースサービス品質インジケータを有し、ピア送信機はピア無線信号でインジケータの提示を送信する。
【０００８】
従って、ソースネットワークでの信号品質についての情報がピアネットワークで送信される。ピアネットワークは、ソースネットワークでの信号品質の劣化に適応し、ピアネットワーク及び／又はソースネットワークでの通信問題を回避するために、この情報を使用することができる。特に、ピアネットワークで動作する他の通信装置（例えば、ピア無線信号を受信する端末）は、ソースネットワークでの信号品質の劣化に適応することができる。
【０００９】
ピア送信機は、様々な方法でソースサービス品質インジケータの提示を送信することができる。しかし、ピア送信機がコンテンツと共にソースサービス品質インジケータの提示を送信することが好ましい。換言すると、インジケータの提示とコンテンツとは一緒に送信されてもよい。特に、インジケータの提示は、インジケータがソースネットワークで適用されるコンテンツと共に送信されることが好ましい。これを行う１つの方法は、インジケータの提示とコンテンツとをデータパケットで一緒に送信することである。例えば、ピア送信機は、データパケットのヘッダでソースサービス品質インジケータの提示を送信してもよい。
【００１０】
ソースサービス品質インジケータの提示は、様々な形式になってもよい。簡単な例では、ソースサービス品質インジケータの提示は、ソースサービス品質インジケータと同じでもよいが、場合によっては、ソース無線信号ではなくピア無線信号に従ってエンコード及び／又は変調される。しかし、インタフェースは、ソースサービス品質インジケータをインジケータの提示に変換することが好ましい。換言すると、この方法は、ソースサービス品質インジケータをインジケータの提示に変換することを有することが好ましい。インジケータの提示はインジケータより短いことが特に好ましい。このことにより、インジケータがソース無線信号で占有しているものに比較して、提示はピア無線信号の送信空間をあまり占有しない。実際に、特に好ましい実施例では、ソースサービス品質インジケータの提示は単一ビットのみである。
【００１１】
ソース及びピア通信ネットワークは、コンテンツを送信する如何なる無線通信ネットワークでもよい。典型的には、ピアネットワークはＷｉ−Ｆｉ又はＢｌｕｅｔｏｏｔｈネットワークのような無線ローカルエリアネットワーク（ＬＡＮ）である。実際には、ピアネットワークはＢｌｕｅｔｏｏｔｈ無線通信標準を使用することが特に好ましい。典型的には、ソース通信ネットワークは移動通信ネットワークである。特に、第３世代無線形式（３Ｇ）ネットワークでもよい。しかし、“ソースネットワーク”及び“ピアネットワーク”という用語は、便宜上のためのみに使用されており、決して限定するものではないことがわかる。実際に、ピアネットワークは３Ｇネットワークのような移動通信ネットワークでもよく、ソースネットワークはＷｉ−Ｆｉ又はＢｌｕｅｔｏｏｔｈネットワークのような無線ローカルエリアネットワーク（ＬＡＮ）でもよい。
【００１２】
コンテンツは、テキストメッセージ、ウェブメッセージ又はオーディオデータのように、如何なるデータ又は情報でもよい。しかし、コンテンツは視聴覚データであることが特に好ましい。視聴覚データの伝送は、通常では大量の伝送容量を必要とするため、補償されない信号品質劣化に非常に敏感である。ストリーミングされる視聴覚データの場合には、小さい伝送遅延ですら許容できない。従って、本発明は、視聴覚データの伝送に特に有利である。実際に、コンテンツがテレビ会議であることが特に好ましい。テレビ会議は３Ｇ及びＢｌｕｅｔｏｏｔｈネットワークを通じてますます一般的なアプリケーションになっている。
【００１３】
多くの無線通信ネットワークでは、異なる種類のコンテンツが、わずかに異なるフォーマットのデータパケットを使用して送信される。このことは、特定の種類のコンテンツが送信されているときに、データパケットの何らかのフィールドが未使用になることを生じ得る。従って、本出願人は、送信されている特定の種類のコンテンツで未使用であるデータパケットのフィールドで、ソースサービス品質インジケータの提示を送信することが便利なことがあることを認識した。このことは、データパケットのデータペイロードが提示により占有されることを回避し得る。例えば、ＢｌｕｅｔｏｏｔｈでのベースバンドデータパケットのヘッダのＦＬＯＷビットはＡＣＬ（Ａｓｙｎｃｈｒｏｎｏｕｓ  Ｃｏｎｎｅｃｔｉｏｎ−Ｌｅｓｓ）信号のみで使用され、ＳＣＯ（Ｓｙｎｃｈｒｏｎｏｕｓ  Ｃｏｎｎｅｃｔｉｏｎ  Ｏｒｉｅｎｔｅｄ）及びｅＳＣＯ（ｅｘｔｅｎｄｅｄ  ＳＣＯ）信号では使用されないことが知られている。ＳＣＯ及びｅＳＣＯ信号は、テレビ会議コンテンツを送信するために使用されるため、この場合に、ＦＬＯＷビットがソースサービス品質インジケータの提示を送信するために使用され得る。従って、より一般的には、ピア送信機は、ピア通信ネットワークのフロー制御で一般的に使用されるピア無線信号のフィールドで、ソースサービス品質インジケータの提示を送信してもよい。
【００１４】
本発明は一方向通信に使用されてもよいが、双方向通信に使用されることが最も有望である。従って、無線通信ゲートウェイは、
ピア通信ネットワークで帰路ピア無線信号を受信するピア受信機と、
ソース通信ネットワークで帰路ソース無線信号を送信するソース送信機と
を更に有し、インタフェースは、帰路ソース無線信号での提示のために、ピア受信機からソース送信機に帰路ピア無線信号により提示されるコンテンツを渡し、帰路ピア無線信号は、ピア通信ネットワークでサービス品質を指定するピアサービス品質インジケータを有する。
【００１５】
同様に、ゲートウェイがピア通信ネットワークで帰路ピア無線信号を受信するピア受信機とソース通信ネットワークで帰路ソース無線信号を送信するソース送信機とを有する場合、この方法は、
帰路ソース無線信号での提示のために、ピア受信機からソース送信機に帰路ピア無線信号により提示されるコンテンツを渡すことを有し、
帰路ピア無線信号は、ピア通信ネットワークでサービス品質を指定するピアサービス品質インジケータを有する。
【００１６】
このことにより、ピア無線ネットワークに関する信号品質情報がソース無線ネットワークに渡されることが可能になる。ゲートウェイは、ピア無線信号の信号品質の劣化にソースネットワークでの通信を適応し、ピアネットワーク及び／又はソースネットワークでの通信問題を回避するために、この情報を使用することができる。
【００１７】
ソース送信機は、ソース無線信号でピアサービス品質インジケータの提示を送信することが好ましい。従って、ピアネットワークでの信号品質についての情報はソースネットワークで送信される。ソース無線ネットワークで動作する他の通信装置（例えば、ソース無線信号を受信する端末）は、ピア通信ネットワークでの信号品質の劣化に適応することができる。
【００１８】
ゲートウェイ及びその動作について説明した。しかし、本発明の第３の態様によれば、無線通信端末が提供され、
ピア通信ネットワークで無線通信ゲートウェイからピア無線信号を受信し、ピア無線信号は、ソース通信ネットワークで無線通信ゲートウェイに送信されたソース無線信号からのコンテンツを提示する受信機を有し、
ソース無線信号は、ソース通信ネットワークでのサービス品質を指定するソースサービス品質インジケータを有し、受信機は、ピア無線信号でコンテンツと共に無線通信ゲートウェイからインジケータの提示を受信する。
【００１９】
同様に、本発明の第４の態様によれば、無線通信端末を動作する方法が提供され、
ピア通信ネットワークで無線通信ゲートウェイからピア無線信号を受信し、ピア無線信号は、ソース通信ネットワークで無線通信ゲートウェイに送信されたソース無線信号からのコンテンツを提示し、
ソース無線信号は、ソース通信ネットワークでのサービス品質を指定するソースサービス品質インジケータを有し、この方法は、ピア無線信号でコンテンツと共に無線通信ゲートウェイからインジケータの提示を受信することを有する。
【００２０】
従って、無線通信端末は、ソース無線ネットワークでの信号品質についての情報を受信する。ソースネットワークでの信号品質の劣化に適応し、ピアネットワーク及び／又はソースネットワークでの通信問題を回避するために、この情報を使用することができる。実際に、無線通信端末は、受信したソース信号品質インジケータの提示に基づいてピア通信ネットワークで通信を適応するコントローラを有することが好ましい。同様に、この方法は、受信したソース信号品質インジケータの提示に基づいてピア通信ネットワークで通信を適応することを有することが好ましい。
【００２１】
通信が適応される方法は、信号品質の劣化が通常通りソースネットワーク及びピアネットワークの一方又は双方で処理される方法に依存し得る。送信及び受信されるコンテンツの種類に依存してもよい。しかし、端末がプロトコルスタックを有する場合、受信機は、プロトコルスタックの第１レイヤでソースサービス品質インジケータを受信し、第１レイヤより高いプロトコルスタックの第２レイヤでインジケータを解釈することが特に好ましい。このことにより、通信の適応がプロトコルスタックの高いレイヤで又は高いレイヤの上で実行されることが可能になる。実際に、第２レイヤはアプリケーションレイヤであることが特に好ましい。従って、アプリケーション（例えば、送信及び受信されるコンテンツを扱うアプリケーション）が通信を適応することができる。
【００２２】
前述のように、本発明は一方向通信に使用されてもよいが、双方向通信に使用されることが最も有望である。従って、無線通信端末は、ピア通信ネットワークで帰路ピア無線信号を無線通信ゲートウェイに送信する送信機を有することが好ましく、帰路ピア無線信号は、無線通信ゲートウェイによりソース通信ネットワークで送信されるコンテンツを提示し、
帰路ピア無線信号は、ピア通信ネットワークでサービス品質を指定するピアサービス品質インジケータを有する。
【００２３】
同様に、この方法は、ピア通信ネットワークで帰路ピア無線信号を無線通信ゲートウェイに送信することを有することが好ましく、帰路ピア無線信号は、無線通信ゲートウェイによりソース通信ネットワークで送信されるコンテンツを提示し、
帰路ピア無線信号は、ピア通信ネットワークでサービス品質を指定するピアサービス品質インジケータを有する。
【００２４】
このことにより、ゲートウェイはピア通信ネットワークでの信号品質についての情報をソースネットワークに渡すことが可能になる。ゲートウェイは、ピアネットワークでの信号品質の劣化にソースネットワークでの通信を適応し、ピアネットワーク及び／又はソースネットワークでの通信問題を回避するために、この情報を使用することができる。
【００２５】
典型的には、ピアサービス品質インジケータは、ソースサービス品質インジケータの提示がピア無線信号で送信されるものと同様の方法で、帰路ピア無線信号で送信される。従って、送信機はデータパケットでピアサービス品質インジケータとコンテンツとを一緒に送信することが好ましく、送信機はデータパケットのヘッダでピアサービス品質インジケータを送信することが好ましく、ピアサービス品質インジケータは単一ビットであることが好ましく、送信機はピア通信ネットワークでフロー制御に一般的に使用される帰路ピア無線信号のフィールドでピアサービス品質インジケータを送信することが好ましい。
【００２６】
本発明はコンピュータソフトウェアにより実装され得ることがわかる。従って、本発明の更なる態様によれば、コンピュータ処理手段により処理されると、前述の方法を実行するように適合されたコンピュータソフトウェア又はコンピュータプログラムコードが提供される。コンピュータソフトウェア又はコンピュータプログラムコードは、コンピュータ可読媒体により伝達されてもよい。媒体は、読み取り専用メモリ（ＲＯＭ）チップのような物理記憶媒体でもよい。代替として、デジタルビデオディスク（ＤＶＤ−ＲＯＭ）又はコンパクトディスク（ＣＤ−ＲＯＭ）のようなディスクでもよい。電線の電気信号のような信号でもよく、光信号でもよく、衛星等のような無線信号でもよい。本発明はまた、ソフトウェア又はコードを動作するコンピュータ（例えば、前述の方法を実行するように構成されたコンピュータ）にまで及ぶ。
【発明を実施するための最良の形態】
【００２７】
添付図面を参照して、単なる例として本発明の好ましい実施例について説明する。
【００２８】
図１を参照すると、通信システムは、２つの無線通信ネットワーク（第３世代無線形式（３Ｇ）移動通信ネットワーク１０及びＢｌｕｅｔｏｏｔｈネットワーク１１）を有する。３Ｇネットワークは、ｈｔｔｐ：／／３ｇｐｐ．ｏｒｇ／ｓｐｅｃｓ／ｓｐｅｃｓ．ｈｔｍにあるような様々な３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）仕様に詳細に記載されている。Ｂｌｕｅｔｏｏｔｈネットワークは、Ｂｌｕｅｔｏｏｔｈ  Ｃｏｒｅ  Ｓｐｅｃｉｆｉｃａｔｉｏｎ  ｖ１．２，  Ｂｌｕｅｔｏｏｔｈ  ＳＩＧ，  ０５  Ｎｏｖｅｍｂｅｒ  ２００３に詳細に記載されている。
【００２９】
移動電話１２は、３Ｇネットワーク１０とＢｌｕｅｔｏｏｔｈネットワーク１１との双方での通信により、無線通信ゲートウェイとして動作する。より具体的には、この実施例では、移動電話１２は、ネットワークインフラストラクチャ（例えば基地局）（図示せず）を介して３Ｇネットワーク１０で他の移動電話（図示せず）と通信し、Ｂｌｕｅｔｏｏｔｈネットワーク１１でＢｌｕｅｔｏｏｔｈ可能ラップトップＰＣ（パーソナルコンピュータ）１３に実装された無線端末と通信する。従って、移動電話１２は、以下に詳細に説明するように、他の移動電話とラップトップＰＣ１３との間でコンテンツを中継することができる。
【００３０】
移動電話１２は、３Ｇネットワーク１０で信号を送信及び受信する３Ｇ  ＲＦユニット（図示せず）と、Ｂｌｕｅｔｏｏｔｈネットワーク１１で信号を送信及び受信するＢｌｕｅｔｏｏｔｈ  ＲＦユニット（図示せず）とを有する。ＲＦユニットは、移動電話１２のデジタルシグナルプロセッサ（ＤＳＰ：ｄｉｇｉｔａｌ  ｓｉｇｎａｌ  ｐｒｏｃｅｓｓｏｒ）（図示せず）の制御で、各ネットワーク１０、１１で信号を送信及び受信するための全ての適切なコーディング／デコーディング及び変調／復調を実行することができる。ＤＳＰ及びＲＦユニットは、ハードウェアに内蔵されたソフトウェア又は関連のメモリに格納されたソフトウェアを動作することにより、このことを実現する。従って、移動電話１２の動作は、このソフトウェアの動作を規定するプロトコルスタック２０を参照して検討され得る。
【００３１】
ラップトップＰＣ１３は、Ｂｌｕｅｔｏｏｔｈネットワーク１１で信号を送信及び受信するＢｌｕｅｔｏｏｔｈ  ＲＦユニット（図示せず）を有する。ＲＦユニットは、ラップトップＰＣ１３の取り外し可能構成要素（例えばＰＣカード）に実装されてもよく、例えばＩｎｔｅｌ  Ｃｅｎｔｒｉｎｏプロセッサを使用して、ラップトップＰＣ１３に統合されてもよい。ＲＦユニットは、ラップトップＰＣ１３の中央処理装置（ＣＰＵ）（図示せず）の制御で、Ｂｌｕｅｔｏｏｔｈネットワーク１１で信号を送信及び受信するための全ての適切なコーディング／デコーディング及び変調／復調を実行することができる。ＣＰＵ及びＲＦユニットは、ハードウェアに内蔵されたソフトウェア又は関連のメモリに格納されたソフトウェアを動作することにより、このことを実現する。従って、ラップトップＰＣ１３の動作は、このソフトウェアの動作を規定するプロトコルスタック２４を参照して検討され得る。
【００３２】
図２を参照すると、移動電話１２のプロトコルスタック２０は、プロトコルスタック２０の上位のアプリケーションレイヤ２１と、スタック２０の下位のベースバンドレイヤ２２とを有する。この実施例では、テレビ会議（ＶＣ：Ｖｉｄｅｏ  Ｃｏｎｆｅｒｅｎｃｉｎｇ）ポートエミュレーションアプリケーションがアプリケーションレイヤ２１で動作する。従って、プロトコルスタック２０は、アプリケーションレイヤ２１の直下にテレビ会議電話制御レイヤ２３を有する。図示のプロトコルスタック２０の他のレイヤは、ＲＦＣＯＭＭ、ＳＯＰ、ＬＭＰ及びＬ２ＣＡＰと呼ばれる。これらのレイヤはＢｌｕｅｔｏｏｔｈに特有であり、この文献では詳細に説明しない。同様に、３Ｇネットワーク１０での通信を可能にするソフトウェアを動作するために、３Ｇ３２４Ｍレイヤと呼ばれる他のレイヤが提供される。これは３Ｇに特有であり、この文献では詳細に説明しない。
【００３３】
ラップトップＰＣ１３のプロトコルスタック２４は移動電話１２のプロトコルスタックと同様である。換言すると、プロトコルスタックは、アプリケーションレイヤ２５と、ベースバンドレイヤ２６と、テレビ会議電話制御レイヤ２７とを有する。また、ＢｌｕｅｔｏｏｔｈのＲＦＣＯＭＭ、ＳＯＰ、ＬＭＰ及びＬ２ＣＡＰレイヤを有し、３Ｇの３Ｇ３２４Ｍレイヤを有する。この実施例では、ＶＣポートドライバがプロトコルスタック２４のアプリケーションレイヤ２５で動作する。
【００３４】
使用中に、テレビ会議電話は従来のように設定される。これは、Ｖｉｄｅｏ  Ｃｏｎｆｅｒｅｎｃｉｎｇ  Ｐｒｏｆｉｌｅ  ｖ０．９５ｃ，  Ａｕｄｉｏ／Ｖｉｄｅｏ  Ｗｏｒｋｉｎｇ  Ｇｒｏｕｐ，  Ｂｌｕｅｔｏｏｔｈ  ＳＩＧ，  ２３  Ｓｅｐｔｅｍｂｅｒ  ２００２と、３ＧＰＰ  ＴＳ  ２６．２３４  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ−“Ｔｒａｎｓｐａｒｅｎｔ  ｅｎｄ−ｔｏ−ｅｎｄ  Ｐａｃｋｅｔ−ｓｗｉｔｃｈｅｄ  Ｓｔｒｅａｍｉｎｇ  Ｓｅｒｖｉｃｅ  （ＰＳＳ）；  Ｐｒｏｔｏｃｏｌｓ  ａｎｄ  ｃｏｄｅｃｓ”と、３ＧＰＰ  ＴＳ  ２６．１１１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ−“Ｃｏｄｅｃ  ｆｏｒ  ｃｉｒｃｕｉｔ  ｓｗｉｔｃｈｅｄ  ｍｕｌｔｉｍｅｄｉａ  ｔｅｌｅｐｈｏｎｙ  ｓｅｒｖｉｃｅ；  Ｍｏｄｉｆｉｃａｔｉｏｎｓ  ｔｏ  Ｈ．３２４”と、ＩＴＵ−Ｔ  Ｒｅｃｏｍｍｅｎｄａｔｉｏｎ  Ｈ．３２４−“Ｔｅｒｍｉｎａｌ  ｆｏｒ  ｌｏｗ  ｂｉｔ−ｒａｔｅ  ｍｕｌｔｉｍｅｄｉａ  ｃｏｍｍｕｎｉｃａｔｉｏｎ”とに詳細に記載されている。Ｂｌｕｅｔｏｏｔｈ及び３Ｇのプロトコルの呼設定は、信号品質に関するシグナリングを有する。従って、呼設定は、所望のデータレートで、通信リンクでの信号品質に従った誤り訂正を使用して、３Ｇネットワーク１０での通信リンクを生成する。同様に、呼設定は、所望のデータレートで、Ｂｌｕｅｔｏｏｔｈ通信リンクでの信号品質に従った誤り訂正を使用して、Ｂｌｕｅｔｏｏｔｈネットワーク１１の通信リンクを生成する。
【００３５】
図３を参照すると、従来技術では、ベースバンドデータパケットは、パケットヘッダ３０と共にＢｌｕｅｔｏｏｔｈネットワーク１１で送信される。ヘッダ３０は、１８ビット長であり、データパケットの論理トランスポートアドレス用の３ビットのＬＴ＿ＡＤＤＲフィールドと、１６の異なる種類のうちデータパケットがどれであるかを指定する４ビットのＴＹＰＥフィールドと、フロー制御情報用の１ビットのＦＬＯＷフィールドと、データパケットの受信成功の肯定応答用の１ビットのＡＲＱＮフィールドと、データパケットのシーケンス番号用の１ビットのＳＥＱＮフィールドと、ヘッダを確認するために使用され得るパケットヘッダ誤り検査情報を伝達する８ビットのＨＥＣフィールドとを有する。
【００３６】
テレビ会議電話は、ＳＣＯ（Ｓｙｎｃｈｒｏｎｏｕｓ  Ｃｏｎｎｅｃｔｉｏｎ  Ｏｒｉｅｎｔｅｄ）及びｅＳＣＯ（ｅｘｔｅｎｄｅｄ  ＳＣＯ）ベースバンドデータパケットを使用して、Ｂｌｕｅｔｏｏｔｈネットワークで送信される。ＢｌｕｅｔｏｏｔｈのＡＣＬ（Ａｓｙｎｃｈｒｏｎｏｕｓ  Ｃｏｎｎｅｃｔｉｏｎ−Ｌｅｓｓ）ベースバンドデータパケットと異なり、ＳＣＯ及びｅＳＣＯベースバンドデータパケットは、パケットヘッダ３０のＦＬＯＷフィールドを使用しない。実際に従来では、プロトコルスタック２０、２４は、ＳＣＯ及びｅＳＣＯベースバンドデータパケットのパケットヘッダ３０のＦＬＯＷフィールドを無視するように構成される。しかし、本発明のこの実施例によれば、図４に示すように、ＦＬＯＷフィールドは、１ビットの疑似チャネル品質インジケータ（Ｐ−ＣＱＩ：Ｐｓｅｕｄｏ  Ｃｈａｎｎｅｌ  Ｑｕａｌｉｔｙ  Ｉｎｄｉｃａｔｏｒ）フィールドに交換される。Ｐ−ＣＱＩフィールドは、サービス品質情報を伝達するために使用される。
【００３７】
３Ｇネットワーク１０で移動電話１２により受信された信号のデータパケットは、３Ｇネットワークでの信号品質を指定するチャネル品質インジケータ（ＣＱＩ：Ｃｈａｎｎｅｌ  Ｑｕａｌｉｔｙ  Ｉｎｄｉｃａｔｏｒ）を有する。移動電話１２は、データパケットからＣＱＩを抽出し、これをＢｌｕｅｔｏｏｔｈネットワークでラップトップＰＣ１３に送信するＰ−ＣＱＩに変換する。ＣＱＩは５ビット長であり、Ｐ−ＣＱＩは１ビット長である。従って、一実施例では、ＣＱＩの値が閾値の上である場合には、移動電話１２はＰ−ＣＱＩ値を１として設定し、閾値の下である場合には、移動電話１２はＰ−ＣＱＩ値を０として設定する。他の実施例では、ＣＱＩの値は、シフトレジスタ及び生成多項式システム（図示せず）を使用して、複数（例えば５個）のＰ−ＣＱＩに展開される。
【００３８】
ラップトップＰＣ１３は、Ｂｌｕｅｔｏｏｔｈネットワーク１１で移動電話１２から受信したデータパケットのパケットヘッダ４０からＰ−ＣＱＩを抽出する。抽出されたＰ−ＣＱＩは、ラップトップＰＣ１３のプロトコルスタック２４のアプリケーションレイヤ２５に渡される。この実施例では、ＶＣドライバアプリケーションは、Ｐ−ＣＱＩ値に基づいてＶＣ電話の特性を変更するか否かを決定する。例えば、Ｐ−ＣＱＩが３Ｇネットワークでの劣化したチャネル品質を示す場合、アプリケーションが送信用のデータを生成するレートは小さくなってもよい。
【００３９】
同時に、ラップトップＰＣ１３は、Ｂｌｕｅｔｏｏｔｈネットワーク１１で信号品質を監視する。この実施例では、ＢｌｕｅｔｏｏｔｈネットワークでラップトップＰＣ１３により受信されたデータパケットは、誤り検査される。パケットが誤り検査に失敗すると、それを再送信する要求が移動電話１２に送信される。更に、ラップトップＰＣ１３は、データパケットが誤り検査に失敗するレートを監視する。このレートの指示が、Ｐ−ＣＱＩとして移動端末１２に送信される。例えば、レートが閾値の上である場合、Ｐ−ＣＱＩは１に設定され、レートが閾値の下である場合、Ｐ−ＣＱＩは０に設定される。移動電話１２は、３Ｇネットワーク１０での信号送信設定を変更するために、ラップトップＰＣ１３から受信したＰ−ＣＱＩを使用する。他の実施例では、Ｐ−ＣＱＩは、移動電話１２がネットワークインフラストラクチャを介して通信している他の移動電話に３Ｇネットワーク１０で送信されてもよい。
【００４０】
本発明の前述の実施例は、本発明がどのように実施され得るかの単なる例である。前述の実施例への修正、変形及び変更が当業者に行われる。特許請求の範囲に記載の本発明の要旨及び範囲並びにその均等から逸脱することなく、これらの修正、変形及び変更が行われ得る。
【図面の簡単な説明】
【００４１】
【図１】本発明による通信システムの概略図
【図２】図１の通信システムの移動電話及びラップトップコンピュータのプロトコルスタックの概略図
【図３】Ｂｌｕｅｔｏｏｔｈネットワークで送信されるデータパケットの従来技術のヘッダの概略図
【図４】図１の通信システムのＢｌｕｅｔｏｏｔｈネットワークで送信されるデータパケットのヘッダの概略図
【図１】
2008516512.tif 000003
【図２】
2008516512.tif 000004
【図３】
2008516512.tif 000005
【図４】
2008516512.tif 000006
【国際調査報告】
2008516512.tif 000007
2008516512.tif 000008
2008516512.tif 000009